(57)【要約】      （修正有）【課題】包装容器内に盛り付けるお刺身などの生鮮食品を、盛り付け状態のままで、皿などに移し替えることを可能にする包装容器用中敷きシートを提供する。【解決手段】一対のシート状中敷き部材を重ね合わせて組み合わせて包装容器用中敷きシート１ａを形成する。前記一対のシート状中敷き部材２ａ、２ｂはそれぞれ他方のシート状中敷き部材から離れている側の縁辺部５ａ、５ｂが厚肉状に形成され、前記一方のシート状中敷き部材２ａは、他方のシート状中敷き部材２ｂの方向に向かって伸びる第一の挿入支持片３ａを備えている。さらに、前記他方のシート状中敷き部材２ｂは、前記一方のシート状中敷き部材２ａと当該他方のシート状中敷き部材２ｂとが重ね合わせられて組み合わされた際に、前記第一の挿入支持片３ａの先端が挿入される第二の挿入孔４ｂを当該他方のシート状中敷き部材の前記一方のシート状中敷き部材から離れている側の縁辺部近傍に備える。【選択図】図１
0003177150.tif 000002
【実用新案登録請求の範囲】
【請求項１】
一対のシート状中敷き部材を重ね合わせて組み合わせ形成される包装容器用中敷きシートであって、
前記一対のシート状中敷き部材はそれぞれ他方のシート状中敷き部材から離れている側の縁辺部が厚肉状に形成されていると共に、
前記一対のシート状中敷き部材の中の一方のシート状中敷き部材は、他方のシート状中敷き部材の方向に向かって伸びる第一の挿入支持片を備えており、
前記一対のシート状中敷き部材の中の他方のシート状中敷き部材は、前記一方のシート状中敷き部材と当該他方のシート状中敷き部材とが重ね合わせられて組み合わされた際に、前記第一の挿入支持片の先端が挿入される第二の挿入孔を当該他方のシート状中敷き部材の前記一方のシート状中敷き部材から離れている側の縁辺部近傍に備えている
ことを特徴とする包装容器用中敷きシート。
【請求項２】
前記他方のシート状中敷き部材は、前記一方のシート状中敷き部材の方向に向かって伸びる第二の挿入支持片を備えており、
前記一方のシート状中敷き部材は、前記一方のシート状中敷き部材と当該他方のシート状中敷き部材とが重ね合わせられて組み合わされた際に、前記第二の挿入支持片の先端が挿入される第一の挿入孔を当該一方のシート状中敷き部材の前記他方のシート状中敷き部材から離れている側の縁辺部近傍に備えている
ことを特徴とする請求項１記載の包装容器用中敷きシート。
【請求項３】
前記一方のシート状中敷き部材及び前記他方のシート状中敷き部材の表面にはエンボス加工が施されていることを特徴とする請求項１又は２記載の包装容器用中敷きシート。
【請求項４】
前記一方のシート状中敷き部材及び前記他方のシート状中敷き部材には、それぞれ、他方のシート状中敷き部材に近接している側の縁辺部から他方のシート状中敷き部材から離れている側の縁辺部に向かって伸びる蛇腹部が形成されていることを特徴とする請求項１又は２記載の包装容器用中敷きシート。
【考案の詳細な説明】
【技術分野】
【０００１】
この考案は、飲食物を収容する包装容器に使用される中敷きシートに関し、特に、商品売り場に陳列・展示される包装容器の底面に敷かれ、その上に刺身などの生鮮食品が搭載されて使用される包装容器用中敷きシートであって、当該包装容器内に綺麗に、華やかに盛り付けて収容されているお刺身などの生鮮食品を、その綺麗で、華やかな盛り付け状態のままで、家庭において、皿などに移し替えることを可能にする包装容器用中敷きシートに関する。
【背景技術】
【０００２】
飲食物、特にお弁当、惣菜、生鮮食品などを販売する際に、プラスチック製の蓋付き包装容器が従来から使用されており、例えば特許文献１には、生鮮食品を収容する包装容器に関する提案が開示されている。
【０００３】
包装容器に収容されたお刺身などの生鮮食品を購入した消費者は持ち帰って家庭で食する際に、当該包装容器に収容されているお刺身などを皿などの食器に移し替えて食卓に供しようと考えるのが一般的である。
【０００４】
しかし、食品売り場などに陳列・展示されていた包装容器に収容されているお刺身などの生鮮食品を家庭において皿などに綺麗に移し替えるのは簡単ではない。時には、綺麗に包装容器に収容され、華やかに盛り付けられていたお刺身などを、その盛り付け状態を崩して皿に移し替えるようになってしまうこともある。
【０００５】
そこで、お皿に移し替えることをせず、購入してきた包装容器の状態で、包装に用いられていた透明な蓋部材や、透明フィルムを取り除いただけで、食品売り場に陳列されていた包装容器そのままの状態で家庭の食卓に乗せることがよくある。
【０００６】
このため、お刺身などの生鮮食品を購入する消費者は、お刺身などの生鮮食品を収容して売り場に陳列されている包装容器の見栄えの良さ、豪華さなどを商品購入の判断基準の一つにする傾向がある。見栄えの良い、豪華な包装容器に、綺麗に、華やかに盛り付けられているお刺身などの生鮮食品を、その綺麗で華やかな盛り付け状態のまま、見栄えの良い、豪華な包装容器で食卓に乗せることができるからである。
【０００７】
このため、販売者側には、見栄えが良く、豪華な印象を与える包装容器にお刺身などの生鮮食品を収容して販売に供しようとする傾向が生じるが、これは、包装容器の準備にコストを掛けることになってしまう。このため、その分、本来の商品であるお刺身などの生鮮食品や、当該生鮮食品に合せて収容するお刺身のつまなどにかけるコストが削減されるという事態になりかねなくなっている。
【先行技術文献】
【特許文献】
【０００８】
【特許文献１】特開２０１０−１８４７４２号公報
【考案の概要】
【考案が解決しようとする課題】
【０００９】
そこで、本考案は、包装容器の底面に敷かれ、その上に刺身などの生鮮食品が搭載されて使用される包装容器用中敷きシートであって、当該包装容器内に綺麗に、華やかに盛り付けて収容されているお刺身などの生鮮食品を、その綺麗で、華やかな盛り付け状態のままで、家庭において、皿などに移し替えることを可能にする包装容器用中敷きシートを提案することを目的にしている。
【００１０】
そして、これによって、特別に、見栄えが良い、豪華な印象を与える包装容器などを準備する必要を無くし、より低コストで包装容器を準備できるようにし、その分、包装容器内に収容して陳列・展示し、販売に供する商品そのものであるお刺身などの生鮮食品を、質、量などにおいて向上させることに商品提供者の経営資源を厚く注入できることを可能ならしめることを目的にしている。
【課題を解決するための手段】
【００１１】
上記課題を解決するため、以下の考案を提供する。
【００１２】
請求項１の考案は、
一対のシート状中敷き部材を重ね合わせて組み合わせ形成される包装容器用中敷きシートであって、
前記一対のシート状中敷き部材はそれぞれ他方のシート状中敷き部材から離れている側の縁辺部が厚肉状に形成されていると共に、
前記一対のシート状中敷き部材の中の一方のシート状中敷き部材は、他方のシート状中敷き部材の方向に向かって伸びる第一の挿入支持片を備えており、
前記一対のシート状中敷き部材の中の他方のシート状中敷き部材は、前記一方のシート状中敷き部材と当該他方のシート状中敷き部材とが重ね合わせられて組み合わされた際に、前記第一の挿入支持片の先端が挿入される第二の挿入孔を当該他方のシート状中敷き部材の前記一方のシート状中敷き部材から離れている側の縁辺部近傍に備えている
ことを特徴とする包装容器用中敷きシート
である。
【００１３】
請求項２記載の考案は、
前記他方のシート状中敷き部材は、前記一方のシート状中敷き部材の方向に向かって伸びる第二の挿入支持片を備えており、
前記一方のシート状中敷き部材は、前記一方のシート状中敷き部材と当該他方のシート状中敷き部材とが重ね合わせられて組み合わされた際に、前記第二の挿入支持片の先端が挿入される第一の挿入孔を当該一方のシート状中敷き部材の前記他方のシート状中敷き部材から離れている側の縁辺部近傍に備えている
ことを特徴とする請求項１記載の包装容器用中敷きシート
である。
【００１４】
請求項３記載の考案は、
前記一方のシート状中敷き部材及び前記他方のシート状中敷き部材の表面にはエンボス加工が施されていることを特徴とする請求項１又は２記載の包装容器用中敷きシート
である。
【００１５】
請求項４記載の考案は、
前記一方のシート状中敷き部材及び前記他方のシート状中敷き部材には、それぞれ、他方のシート状中敷き部材に近接している側の縁辺部から他方のシート状中敷き部材から離れている側の縁辺部に向かって伸びる蛇腹部が形成されていることを特徴とする請求項１又は２記載の包装容器用中敷きシート
である。
【考案の効果】
【００１６】
本考案によれば、包装容器内に綺麗に、華やかに盛り付けて収容されているお刺身などの生鮮食品を、その綺麗で、華やかな盛り付け状態のままで、家庭において、皿などに移し替えることができる。
【００１７】
また、これによって、特別に、見栄えが良い、豪華な印象を与える包装容器などを準備する必要を無くし、より低コストで包装容器を準備できるようにし、その分、包装容器内に収容して陳列・展示し、販売に供する商品そのものであるお刺身などの生鮮食品を、質、量などにおいて向上させることに商品提供者の経営資源を厚く注入できることを可能ならしめる効果ある。
【図面の簡単な説明】
【００１８】
【図１】本考案の第一の実施形態を表す図であって、（ａ）一対のシート状中敷き部材を組み合わせる前の状態、（ｂ）一対のシート状中敷き部材を組み合わせ、本考案の包装容器用中敷きシートとした状態。
【図２】本考案の第二の実施形態を表す図であって、（ａ）一対のシート状中敷き部材を組み合わせる前の状態、（ｂ）一対のシート状中敷き部材を組み合わせ、本考案の包装容器用中敷きシートとした状態。
【図３】本考案の第三の実施形態を表す図であって、（ａ）一対のシート状中敷き部材を組み合わせる前の状態、（ｂ）一対のシート状中敷き部材を組み合わせ、中敷きシートとした状態。
【図４】本考案の第四の実施形態を表す図であって、（ａ）一対のシート状中敷き部材を組み合わせる前の状態、（ｂ）一対のシート状中敷き部材を組み合わせ、中敷きシートとした状態。
【考案を実施するための形態】
【００１９】
以下、添付図面を参照して本考案の実施形態を説明する。
【００２０】
図１は本考案の第一の実施形態を表したものである。
【００２１】
第一の実施形態における包装容器用中敷きシート１ａは、一対のシート状中敷部材である第一の中敷き部材２ａと、第二の中敷き部材２ｂとを重ね合わせて組み合わせ形成されるものである。
【００２２】
この包装容器用中敷きシート１ａは、商品陳列・展示に用いられる包装容器の中に刺身などの生鮮食品を収容し、包装する際に、まず、包装容器の内底面に敷かれ、その上に刺身などの生鮮食品が搭載されるように使用されるものである。
【００２３】
そこで、包装容器用中敷きシート１ａを構成する第一の中敷き部材２ａ、第二の中敷き部材２ｂの形状、大きさは、図１（ｂ）図示のように重ね合わせ、組み合わせて包装容器用中敷きシート１ａとした際に包装容器（不図示）の底面の形、大きさに適合するように、包装容器（不図示）の底面の形、大きさを考慮して種々に変更することができる。
【００２４】
図１（ａ）、（ｂ）図示の実施形態では、包装容器（不図示）の底面の形が横幅よりも長手方向の長さの方が若干大きい矩形であるため、これに対応して、包装容器用中敷きシート１ａを構成する第一の中敷き部材２ａ、第二の中敷き部材２ｂはいずれも矩形で、図１（ｂ）図示のように重ね合わせ、組み合わせて包装容器用中敷きシート１ａとした際に、横幅よりも長手方向の長さの方が若干大きい矩形になるようにしている。
【００２５】
シート状中敷き部材である第一の中敷き部材２ａ及び、第二の中敷き部材２ｂは、いずれも熱可塑性樹脂などの合成樹脂製の薄いシートで形成することができる。
【００２６】
図示の実施形態では、第一の中敷き部材２ａは、他方のシート状中敷部材である第二の中敷き部材２ｂの方向に向かって伸びる第一の挿入支持片３ａを備えている。
【００２７】
図示の実施形態では、第一の挿入支持片３ａは、矩形の第一の中敷き部材２ａの他方のシート状中敷部材である第二の中敷き部材２ｂに近い側の縁辺部に連続する形で形成されているが、矩形のシート状部分と、第一の挿入支持片３ａの形状をしているシート状部分とを別々に打ち抜き等によって形成し、両者を熱溶着などによって接続することにより、図示のような形状にすることもできる。
【００２８】
また、図示の実施形態では、第二の中敷き部材２ｂも、他方のシート状中敷部材である第一の中敷き部材２ａの方向に向かって伸びる第二の挿入支持片３ｂを備えているが、挿入支持片はどちらか一方の中敷き部材のみに備えられている形態にすることができる。
【００２９】
例えば、図２に表されるように、第二の中敷き部材２ｂにのみ他方のシート状中敷き部材である第一の中敷き部材２ａの方向に向かって伸びる第二の挿入支持片３ｂを備えている包装容器用中敷きシート１ｂとすることができる。
【００３０】
第一の中敷き部材２ａ、第二の中敷き部材２ｂのそれぞれ他方のシート状中敷き部材から離れている側の縁辺部５ａ、５ｂは厚肉状に形成されている。後述するように、第一の中敷き部材２ａと、第二の中敷き部材２ｂとを重ね合わせて組み合わせ形成した包装容器用中敷きシート１ａの上にお刺身などが搭載されている状態で、その盛り付け状態を崩すことなく、お皿に移し替える際に、この厚肉状に形成されている縁辺部５ａ、５ｂを指で摘まんで持つことになる。このために、厚肉状に形成されているものである。厚肉状に形成されている縁辺部５ａ、５ｂは、例えば、縁辺部５ａ、５ｂに折り重ね部を設けて厚肉状にしたり、熱融着によって所定の厚みを備えさせることなどができる。
【００３１】
図１（ａ）、（ｂ）図示の実施形態では、第一の中敷き部材２ａは、第一の中敷き部材２ａと第二の中敷き部材２ｂとを重ね合わせ組み合わせた際に、第二の挿入支持片３ｂの先端６ｂが挿入される第一の挿入孔４ａを当該第一の中敷き部材２ａの第二の中敷き部材２ｂから離れている側の縁辺部近傍に備えている。
【００３２】
第二の中敷き部材２ｂも第一の中敷き部材２ａと同様に、第一の中敷き部材２ａと当第二の中敷き部材２ｂとを重ね合わせ組み合わせた際に、第一の挿入支持片３ａの先端６ａが挿入される第二の挿入孔４ｂを当該第二の中敷き部材２ｂの第一の中敷き部材２ａから離れている側の縁辺部近傍に備えている。
【００３３】
また、図２に表される第二の実施形態の包装容器用中敷きシート１ｂでは、第一の中敷き部材２ａにのみ、第一の中敷き部材２ａと当第二の中敷き部材２ｂとを重ね合わせ組み合わせた際に、第二の挿入支持片３ｂの先端６ｂが挿入される第一の挿入孔４ａを当該第一の中敷き部材２ａの第二の中敷き部材２ｂから離れている側の縁辺部近傍に備えている。
【００３４】
次に、第一の中敷き部材２ａと第二の中敷き部材２ｂとを重ね合わせて組み合わせ包装容器用中敷きシートを形成させる手順について説明する。
【００３５】
図１に表される本考案の第一の実施形態では、まず、図１（ａ）に図示されている第一の中敷き部材２ａの第一の挿入片３ａと第二の中敷き部材２ｂの第二の挿入片３ｂとが対向している状態から、第一の中敷き部材２ａを、矢印１０の方向に沿って第二の中敷き部材２ｂの表面に重ねるように移動させる。そして、第一の挿入片３ａの先端部６ａを第二の挿入孔４ｂへ挿入する（図１（ｂ））。
【００３６】
同時に、第二の中敷き部材２ｂを、矢印９の方向に沿って第一の中敷き部材２ａの裏面に重ねるように移動させる。そして、第二の挿入片３ｂの先端部６ｂを第一の挿入孔４ａへ挿入し、第一の中敷き部材２ａと第二の中敷き部材２ｂを重ね合わせ、包装容器用中敷きシート１ａを形成させる（図１（ｂ））。
【００３７】
図２に表される本考案の第二の実施形態では、図２（ａ）に図示されている第一の中敷き部材２ａの第二の中敷き部材２ｂに近接している側の縁辺部と第二の中敷き部材２ｂの第二の挿入片３ｂとが対向している状態から、第一の中敷き部材２ａを、矢印１０の方向に沿って第二の中敷き部材２ｂの表面に重ねるように移動させる。
【００３８】
同時に、第二の中敷き部材２ｂを、矢印９の方向に沿って第一の中敷き部材２ａの裏面に重ねるように移動させる。そして、第二の挿入片３ｂの先端部６ｂを第一の挿入孔４ａへ挿入し、第一の中敷き部材２ａと第二の中敷き部材２ｂを重ね合わせ、包装容器用中敷きシート１ｂを形成させる（図２（ｂ））。
【００３９】
このように第一の中敷き部材２ａと第二の中敷き部材２ｂとを重ね合わせて組み合わせ形成された包装容器用中敷きシート１ａ、１ｂは、商品陳列・展示に用いられる包装容器の中に刺身などの生鮮食品を収容し、包装する際に、まず、包装容器の内底面に敷かれ、その上に刺身などの生鮮食品が搭載されるように使用される。
【００４０】
即ち、包装容器用中敷きシート１ａ、１ｂは、底面の形が横幅よりも長手方向の長さの方が若干大きい矩形を有する包装容器の内底面に敷かれ、当該包装容器用中敷きシート１ａ、１ｂの上に刺身などの生鮮食品が搭載される。
【００４１】
なお、図２図示の包装容器用中敷きシート１ｂの場合、第二の挿入片３ｂが伸びる長さを図示のものよりも短くし、第二の挿入片３ｂの先端部６ｂが第一の挿入孔４ａへ挿入された際に、第二の中敷き部材２ｂの上側全面に第一の中敷き部材２ａが重なるようにして、包装容器用中敷きシート１ｂが平面視で略正方形状になるようにすることもできる。このようにすれば、底面の形が略正方形である包装容器の内底面に敷いて使用することができる。
【００４２】
上述したように、包装容器用中敷きシート１ａ、１ｂが包装容器の内底面に敷かれ、その上に刺身などの生鮮食品が搭載され、透明な蓋部材や、透明フィルムによって包装容器が密封された状態で、食品売り場に陳列、展示される。
【００４３】
これを購入してきた消費者は、家庭で、包装に用いられている蓋部材や、フィルムを取り除き、厚肉状に形成された縁辺部５ａと第二の中敷き部材２ｂの第二の挿入支持片３ｂの先端部６ｂとを一緒にして指で摘み、かつ、厚肉状に形成された縁辺部５ｂと第一の中敷き部材２ａの第一の挿入支持片３ａの先端部６ａとを一緒にして指で摘み、刺身などが包装容器用中敷きシート１ａ、１ｂの上に綺麗で華やかに盛り付けられている状態のまま、その盛り付け状態を崩すことなしに、上側に刺身などが盛り付けられている状態の包装容器用中敷きシート１ａ、１ｂを安定して持ち上げ、皿に移し替えることができる。
【００４４】
次に、第一の中敷き部材２ａと第二の中敷き部材２ｂとの組み合わせを解除する手順について説明する  
図１に表される本考案の第一の実施形態では、図１（ｂ）に図示されている第一の中敷き部材２ａと第二の中敷き部材２ｂとが重ね合っている状態から、第一の中敷き部材２ａ、第二の中敷き部材２ｂのそれぞれ他方のシート状中敷き部材から離れている側の縁辺部５ａ、５ｂを指で摘みながら、第一の中敷き部材２ａを矢印９の方向へ引き、第二の中敷き部材２ｂを矢印１０の方向へ引く。
【００４５】
すると、第二の中敷き部材２ｂの第二の挿入孔４ｂに挿入されていた第一の中敷き部材２ａの第一の挿入片３ａの先端部６ａが抜き取られ、第一の中敷き部材２ａの第一の挿入孔４ａに挿入されていた第二の中敷き部材２ｂの第二の挿入片３ｂの先端部６ｂが抜き取られ、図１（ａ）に図示されるように第一の中敷き部材２ａと第二の中敷き部材２ｂとに分離される。
【００４６】
図２に表される本考案の第二の実施形態では、図２（ｂ）に図示されている第一の中敷き部材２ａと第二の中敷き部材２ｂとが重ね合っている状態から、第一の中敷き部材２ａ、第二の中敷き部材２ｂのそれぞれ他方のシート状中敷き部材から離れている側の縁辺部５ａ、５ｂを指で摘みながら、第一の中敷き部材２ａを矢印９の方向へ引き、第二の中敷き部材２ｂを矢印１０の方向へ引く。
【００４７】
すると、第一の中敷き部材２ａの第一の挿入孔４ａに挿入されていた第二の中敷き部材２ｂの第二の挿入片３ｂの先端部６ｂが抜き取られ、図２（ａ）に図示されるように第一の中敷き部材２ａと第二の中敷き部材２ｂとに分離される。
【００４８】
このような簡易な構成、作用によって、包装容器の内底面に敷かれた包装容器用中敷きシート１ａ、１ｂの上に綺麗に、華やかに盛り付けて収容されているお刺身などの生鮮食品を、その綺麗で、華やかな盛り付け状態のままで、家庭において、皿などに移し替えることができる。
【００４９】
すなわち、包装容器の内底面に敷かれた包装容器用中敷きシート１ａ、１ｂの上にお刺身などの生鮮食品が盛り付けられた状態から、縁辺部５ａと第二の中敷き部材２ｂの第二の挿入支持片３ｂの先端部６ｂとを一緒にして指で摘み、かつ、縁辺部５ｂと第一の中敷き部材２ａの第一の挿入支持片３ａの先端部６ａとを一緒にして指で摘んで、上側にお刺身が盛り付けられている状態の包装容器用中敷きシート１ａ、１ｂを皿などに移動させる。
【００５０】
そして、当該皿の上で上述したようにして、第一の中敷き部材２ａと第二の中敷き部材２ｂとを引き離すことで、前記お刺身などの生鮮食品を綺麗で、豪華な盛り付け状態のまま皿に移すことができる。
【００５１】
また、本考案の包装容器用中敷きシートを構成する第一の中敷き部材２ａ、第二の中敷き部材２ｂの形状、大きさは、包装容器の底面の形、大きさに適合するように、包装容器の底面の形、大きさを考慮して種々に変更することができるので、使用する包装容器も簡易なものでよく、従来のように、包装容器の製造コストを抑えることができる。
【００５２】
上述したように、本考案によれば、見栄えが良い、豪華な印象を与える包装容器などを特別に準備する必要を無くし、より低コストで包装容器を準備できるようにし、その分、包装容器内に収容して陳列・展示し、販売に供する商品そのものであるお刺身などの生鮮食品を、質、量などにおいて向上させることに商品提供者の経営資源を厚く注入できることを可能ならしめるのである。
【００５３】
なお、上述したように、上側にお刺身などが、綺麗、豪華に盛り付けられている状態で、包装容器の内底面に敷かれた包装容器用中敷きシート１ａの縁辺部５ａと第二の中敷き部材２ｂの第二の挿入支持片３ｂの先端部６ｂとを一緒にして指で摘み、かつ、包装容器用中敷きシート１ａの縁辺部５ｂと第一の中敷き部材２ａの第一の挿入支持片３ａの先端部６ａとを一緒にして指で摘んで、上側にお刺身が盛り付けられている状態の包装容器用中敷きシート１ａを皿などに移動させるので、この移し替えをより安定して行う上では、図１図示の実施例のように、第一の中敷き部材２ａ、第二の中敷き部材２ｂのいずれもが、第一の挿入支持片３ａ、第二の挿入支持片３ｂを備えている形態にすることが望ましい。
【００５４】
ただし、図２図示のように第一の中敷き部材２ａ、第二の中敷き部材２ｂの中のどちらか一方が挿入支持片を備えているだけの構造でも安定的な移し替えを行うことは可能であり、コスト面からでは、図２図示の実施形態の方が有利である。
【００５５】
次に、図３は本考案の第三の実施形態を表したものである。
【００５６】
本実施形態における包装容器用中敷きシート１ｃは、第一の中敷き部材２ａ及び第二の中敷き部材２ｂにエンボス加工を施した点が第一の実施形態における包装容器用中敷きシート１ａと異なるだけであるので、第一の実施形態と共通する構成については同じ符号を付し、その説明を省略する。
【００５７】
第一の中敷き部材２ａ及び第二の中敷き部材２ｂにエンボス加工を施してエンボス面７を形成することによって、第一の中敷き部材２ａと第二の中敷き部材２ｂとの重ね合わせを解除する際に、第一の中敷き部材２ａと第二の中敷き部材２ｂとの摩擦力が減り、第一の中敷き部材２ａと第二の中敷き部材２ｂに盛り付けられたお刺身などの生鮮食品を、盛り付けられた状態のまま、よりスムーズに皿などに移すことができる。
【００５８】
次に、図４は本考案の第四の実施形態を表したものである。
【００５９】
本実施形態における包装容器用中敷きシート１ｄは、第一の中敷き部材２ａ及び第一の中敷き部材２ａに、それぞれ、他方の中敷き部材に近接している側の縁辺部から他方のシート状中敷き部材から離れている側の縁辺部に向かって伸びる蛇腹部８が形成されている点が第一の実施形態における包装容器用中敷きシート１ａと異なるだけであるので、第一の実施形態と共通する構成については同じ符号を付し、その説明を省略する。
【００６０】
第一の第一の中敷き部材２ａ及び第一の中敷き部材２ａに蛇腹部８を形成させることによって、第一の中敷き部材２ａと第二の中敷き部材２ｂとの重ね合わせを解除する際に、第一の中敷き部材２ａと第二の中敷き部材２ｂとの摩擦力が減り、第一の中敷き部材２ａと第二の中敷き部材２ｂの上に盛り付けられたお刺身などの生鮮食品を、盛り付けられた状態のまま、よりスムーズに皿などに移すことができる。
【００６１】
以上、添付図面を参照して本考案の好ましい実施形態、実施例を説明したが、本考案はかかる実施形態、実施例に限定されるものではなく、実用新案登録請求の範囲の記載から把握される技術的範囲において種々の形態に変更可能である。
【符号の説明】
【００６２】
１ａ、１ｂ、１ｃ、１ｄ  包装容器用中敷きシート
２ａ  第一の中敷き部材
２ｂ  第二の中敷き部材
３ａ  第一の挿入支持片
３ｂ  第二の挿入支持片
４ａ  第一の挿入孔
４ｂ  第二の挿入孔
５ａ  縁辺部
５ｂ  縁辺部
６ａ  第一の挿入支持片の先端部
６ｂ  第二の挿入支持片の先端部
７  エンボス面
８  蛇腹部
【図１】
0003177150.tif 000003
【図２】
0003177150.tif 000004
【図３】
0003177150.tif 000005
【図４】
0003177150.tif 000006